(57)【要約】【課題】  電気品ボックスと空気取入ダクトを本体ケースの両側の側板間で付け換えることのできる天井埋込型空気調和装置が求められている。【解決手段】  天井埋込型空気調和装置１では、本体ケース２が、少なくとも、側板１２と、側板１３と、天板１４と、底板１５とを備えて構成され、側板１３に、空気取入ダクトが接続される一の副取入口１９と、空気取入ダクトを着脱可能に接続するための一の接続手段６１とが設けられ、側板１２に、打ち抜きにより別の副取入口２１が形成されるノックアウト部２０と、空気取入ダクトを別の副取入口２１に接続するための別の接続手段７０とが設けられ、更に、側板１２に、電気品ボックス２２が一の取付手段６３，６５を介して着脱可能に取り付けられ、側板１３に、電気品ボックス２２を取り付けるための別の取付手段６７，６９が設けられている。【選択図】  図２
2005233529.tif 000002
【特許請求の範囲】
【請求項１】
天井内に設置される箱状の本体ケースの内部に熱交換器および送風機が収容されるとともに、本体ケースの内部が送風機を境に空気吸込側空間と空気吹出側空間とに区画され、空調対象室内空気をケース内に取り入れる主取入口が本体ケースの空気吸込側空間に開口して形成されている天井埋込型空気調和装置において、
本体ケースが、少なくとも、一側板と、前記一側板に対し送風路をはさんで対面配置された他側板と、前記一側板の上部と前記他側板の上部をつなぐ天板と、前記一側板の下部と前記他側板の下部をつなぐ底板とを備えて構成され、
前記一側板または前記他側板のいずれか一方に、空調対象室内空気以外の空気を前記空気吸込側空間に取り入れる空気取入ダクトが接続される一の副取入口と、前記空気取入ダクトを着脱可能に接続するための一の接続手段とが設けられ、
前記一の副取入口が設けられていない他方の側板に、打ち抜きにより別の副取入口が形成されるノックアウト部と、前記空気取入ダクトを前記別の副取入口に接続するための別の接続手段とが設けられ、
前記一の副取入口が設けられていない他方の側板に、電気部品を収容した電気品ボックスが一の取付手段を介して着脱可能に取り付けられ、
前記一の副取入口が設けられている一方の側板に、前記電気品ボックスを取り付けるための別の取付手段が設けられていることを特徴とする天井埋込型空気調和装置。
【請求項２】
電気品ボックスが取り付けられた他方の側板において空気が流通する空気吸込側空間内の所定部位と対面する位置に、一の温度センサ挿入用穴が設けられるとともに、電気品ボックスが取り付けられていない一方の側板において前記一の温度センサ挿入用穴に対し送風方向と直交する対面位置に、他の温度センサ挿入用穴が設けられていることを特徴とする請求項１に記載の天井埋込型空気調和装置。
【請求項３】
本体ケース内部の熱交換器を送風方向に傾斜配置し、前記熱交換器の上方位置の天板に、下向きに陥入した溝条を一側板と他側板を結ぶ方向に沿って形成し、前記溝条内に、一側板から他側板へまたは他側板から一側板へ向かう配線を収容したことを特徴とする請求項１または請求項２に記載の天井埋込型空気調和装置。
【発明の詳細な説明】
【技術分野】
【０００１】
本発明は、建物の天井内に設置される空気調和装置であって、空調対象室内の空気および空調対象室内以外の空気を取り込んで空調処理する天井埋込型空気調和装置に関する。
【背景技術】
【０００２】
従来、この種の天井埋込型空気調和装置は例えば下記の特許文献１に開示されている。下記文献開示の天井埋込型空気調和装置では、建物の天井内に設置される箱状の本体ケースの内部に熱交換器および送風機が収容されており、本体ケースの内部が送風機を境に空気吸込側空間と空気吹出側空間とに区画されている。また、空調対象室内空気を本体ケース内に取り入れる主取入口が空気吸込側空間の本体ケースの底面または背面に開口して形成されている。
【０００３】
【特許文献１】特開平８−２７０９７８号公報
【発明の開示】
【発明が解決しようとする課題】
【０００４】
ところで、空気吸込側空間における本体ケースの一側板に、空調対象室内空気以外の空気を空気吸込側空間に取り入れる空気取入ダクトが接続される場合が増えている。このとき、取付スペースによる規制から空気取入ダクトが接続されない他方の側板に、制御基盤、端子、スイッチなどの電気部品を収容した電気品ボックスが取り付けられる。その場合、天井内の構造物、スペース、室内側の間仕切りや壁の配置などにより、電気品ボックスと空気取入ダクトを互いに付け換えたいことがある。しかしながら、従来の空気調和装置は電気品ボックスと空気取入ダクトを付け換え可能な仕様にされていなかったのである。
【０００５】
本発明は、上記した従来の問題点に鑑みてなされたものであって、電気品ボックスと空気取入ダクトを本体ケースの両側の側板間で付け換えることのできる天井埋込型空気調和装置の提供を目的とする。
【課題を解決するための手段】
【０００６】
上記目的を達成するために、本発明に係る天井埋込型空気調和装置は、天井内に設置される箱状の本体ケースの内部に熱交換器および送風機が収容されるとともに、本体ケースの内部が送風機を境に空気吸込側空間と空気吹出側空間とに区画され、空調対象室内空気をケース内に取り入れる主取入口が本体ケースの空気吸込側空間に開口して形成されている天井埋込型空気調和装置において、本体ケースが、少なくとも、一側板と、一側板に対し送風路をはさんで対面配置された他側板と、一側板の上部と他側板の上部をつなぐ天板と、一側板の下部と他側板の下部をつなぐ底板とを備えて構成され、一側板または他側板のいずれか一方に、空調対象室内空気以外の空気を空気吸込側空間に取り入れる空気取入ダクトが接続される一の副取入口と、空気取入ダクトを着脱可能に接続するための一の接続手段とが設けられ、一の副取入口が設けられていない他方の側板に、打ち抜きにより別の副取入口が形成されるノックアウト部と、空気取入ダクトを別の副取入口に接続するための別の接続手段とが設けられ、一の副取入口が設けられていない他方の側板に、電気部品を収容した電気品ボックスが一の取付手段を介して着脱可能に取り付けられ、一の副取入口が設けられている一方の側板に、電気品ボックスを取り付けるための別の取付手段が設けられているものである。
【０００７】
また、前記構成において、電気品ボックスが取り付けられた他方の側板において空気が流通する空気吸込側空間内の所定部位と対面する位置に、一の温度センサ挿入用穴が設けられるとともに、電気品ボックスが取り付けられていない一方の側板において一の温度センサ挿入用穴に対し送風方向と直交する対面位置に、他の温度センサ挿入用穴が設けられているものである。
【０００８】
そして、前記した各構成において、本体ケース内部の熱交換器を送風方向に傾斜配置し、熱交換器の上方位置の天板に、下向きに陥入した溝条を一側板と他側板を結ぶ方向に沿って形成し、溝条内に、一側板から他側板へまたは他側板から一側板へ向かう配線を収容したものである。
尚、本発明において「一の」というときは、数的に「ひとつの」という意味でなく、「或る」の意味に近い概念であり、複数のものも含む。
【発明の効果】
【０００９】
本発明によれば、一方の側板の一の副取入口に一の接続手段によって空気取入ダクトが接続され、他方の側板に一の取付手段を介して電気品ボックスが着脱可能に取り付けられる。そして、空気取入ダクトと電気品ボックスを互いに反対側の側板に付け換えるときは、ノックアウト部が打ち抜かれて別の副取入口が他方の側板に形成される。この別の副取入口に空気取入ダクトが別の接続手段によって接続される。また、他方の側板から取り外された電気品ボックスが一方の側板に別の取付手段を介して取り付けられる。従って、室内の間仕切り、天井内における鉄筋や天井スラブなどの配置状況による規制から、空気取入ダクトと電気品ボックスをそれぞれの当初位置に取り付けることが不適切な場合でも、空気取入ダクトと電気品ボックスを互いに反対側の側板に付け換えることができる。これにより、装置の天井内設置作業に融通性がもたらされ、設置作業効率が格段に向上する。
【００１０】
また、電気品ボックスが取り付けられている他方の側板に設けられた一の温度センサ挿入用穴から、温度センサが空気吸込側空間内で空気の流通する所定部位に挿入されて適切な吸込み空気の温度が検知される。そこで、電気品ボックスを他方の側板から一方の側板に付け換えるときは、一の温度センサ挿入用穴から取り外された温度センサが、他の温度センサ挿入用穴から空気吸込側空間内の所定部位に挿入されるから、適切な吸込み空気の温度を同様に検知することができる。従って、電気品ボックスの付け換えに付随する温度検知の支障を生じない。
【００１１】
そして、電気品ボックスを他方の側板から一方の側板に付け換える場合において、他方の側板から引き出された例えば冷媒流量制御装置からの配線を一方の側板側に渡す必要があるが、本発明では天板上に形成した溝条内に配線を収容するようになっているから、本体ケースの内部で配線を渡さずに済み、風の抵抗を受けることなく、かつ、ヒータを装着した機種においてはヒータの熱の影響を受けることがない。そして、本体ケースの上面で配線を渡すにも拘わらず、熱交換器の傾斜配置により必然的に生じる空間を利用した溝条内に配線が収容されるので、本体ケースの高さ方向の薄型化を阻害することがない。これらの効果は例えば外部からの接続配線を一方の側板から他方の側板側へ渡して接続する工事においても有効である。
【発明を実施するための最良の形態】
【００１２】
実施の形態１．
図１は本発明の一実施形態に係る天井埋込型空気調和装置の概略構成を示す外観図、図２は前記天井埋込型空気調和装置の本体ケースの組立分解図、図３は前記本体ケースの両側板を両側から見た図である。
各図において、この実施形態に係る天井埋込型空気調和装置１は、建物の天井内に設置される箱状の本体ケース２の内部に熱交換器３および送風機４が収容されている。本体ケース２は、右側の側板（一側板）１２と、側板１２に対し送風路１１をはさんで対面配置された左側の側板（他側板）１３と、側板１２の上部と側板１３の上部をつなぐ天板１４と、側板１２の下部と側板１３の下部をつなぐ底板１５と、送風機４を固定する区画板９と、ドレンパン１６を固定する端板１７とから構成されている。前記の区画板９を境に、本体ケース２の内部が空気吸込側空間５と空気吹出側空間６とに区画される。そして、空調対象室内の空気を本体ケース２内に取り入れる主取入口７が空気吸込側空間５に開口して形成され、熱交換器３を通過して空調処理された空気を吹き出す吹出口８が空気吹出側空間６に開口して形成されている。
【００１３】
側板１３には、空調対象室内以外の空気を空気吸込側空間５に取り入れる空気取入ダクト５５が接続される副取入口（一の副取入口）１９と、空気取入ダクト５５を着脱可能に接続するための例えば係合溝から成る接続手段（一の接続手段）６１とが設けられている。この係合溝には空気取入ダクト５５の係合爪（図示省略）が着脱可能に係止される。また、側板１３には、電気品ボックス２２を取り付けるための取付手段（別の取付手段）６７，６９が設けられている。
一方、側板１２には、打ち抜きにより副取入口（別の副取入口）２１が形成されるノックアウト部２０と、空気取入ダクト５５を副取入口２１に接続するための例えば係合溝から成る接続手段（別の接続手段）７０とが設けられている。この係合溝には空気取入ダクト５５の係合爪が着脱可能に係止される。また、側板１２には、電気部品を収容した電気品ボックス２２が取付手段（一の取付手段）６３，６５を介して着脱可能に取り付けられている。また、側板１２の前部にはドレンポンプ６０が取り付けられている。このドレンポンプ６０はホース５９を介してドレンパン１６と連通しており、冷房運転時に熱交換器３からドレンパン１６上に滴下したドレン水を装置外に排出するようになっている。
【００１４】
電気品ボックス２２は、図４および図６（ｃ）に示すように、取り付け面が開口した矩形箱状に形成されている。側方に張り出した両側の辺部には、ビス３６（図２参照）が挿通されるビス挿通穴３９，４０がそれぞれ形成されている。電気品ボックス２２が取り付けられる位置の側板１２には、それぞれ雌ネジ部を有するネジ穴６２，６４が形成されている。電気品ボックス２２が取り付けられる位置の側板１３には、それぞれ雌ネジ部を有するネジ穴６６，６８が形成されている。
【００１５】
すなわち、上記の取付手段（一の取付手段）６３は、側板１２のビス穴６２と、ビス穴６２に螺止されるビス３６とから構成される。取付手段（一の取付手段）６５は、側板１２のビス穴６４と、ビス穴６２に螺止されるビス３６とから構成される。一方、取付手段（別の取付手段）６７は、側板１３のビス穴６６と、ビス穴６６に螺止されるビス３６とから構成される。取付手段（別の取付手段）６９は、側板１３のビス穴６８と、ビス穴６８に螺止されるビス３６とから構成される。但し、本発明に係る一のまたは別の取付手段としては、前記したビス穴とビスの組み合わせに限るものでなく、例えば係合穴とこれに係合する係合突起（いずれも図示省略）との組み合わせなどが挙げられる。
【００１６】
送風機４は、図５に示すように、側面に空気の吸込口４３が形成され前面に空気の吹出口４２が形成されたファンケーシング７１を備えている。ファンケーシング７１にはファン４７が内装されている。ファン４７はモータ１８と駆動連結されている。主取入口７からの空気は矢印４４のように流れて、吸込口４３からファンケーシング７１内に流入する。その際、主取入口７からの空気は部位４５の近傍において送風機４への流れ込みが速く、部位４６において送風機４への流れ込みが遅くなっている。吸込口４３からファンケーシング７１内に流入した空気は、ファン４７の回転作用により吹出口４２から矢印４８のように送り出され、区画板９の送風口３８を経て空気吹出側空間６内の熱交換器３を通過し吹出口８から吹き出される。
【００１７】
熱交換器３は本体ケース２の空気吹出側空間６内で送風方向（図２中の矢印Ｆ方向）に向かって下向きに傾斜して配置されている。この場合、熱交換器３上方位置の天板１４が平たんであると、熱交換器３の上端と天板１４下面との間に側面視で三角形のスペースが生じる。そこで、かかるスペースを埋めるように、熱交換器２の上方位置の天板１４に、下向きに陥入した溝条２７が側板１２と側板１３を結ぶ方向に沿って形成されている。また、区画板９の空気吹出側空間６側にはヒータ１０が取り付けられている。
【００１８】
ここで、図６に示すように、空気吸込側空間５内のイからホの箇所にそれぞれ温度センサ４１を設置して各箇所の空気温度を実測し、空調対象室内で実測した空気温度と比較した。その結果を図６（ｂ）のグラフに示す。送風機４近傍の空気の流れには偏りがありモータ１８からの熱の影響も受けるため、空気が滞留しやすい。グラフから明らかなように、ロからホの箇所では正確な空調対象室内の空気温度を検知できなかったが、箇所イ（所定部位）では最も空調対象室内の空気温度に近い温度を検知できることが判った。そこで、電気品ボックス２２が取り付けられた側板１２において空気吸込側空間５内の箇所イ（所定部位）と対面する位置に、温度センサ挿入用穴２３が設けられている。電気品ボックス２２が取り付けられていない側板１３においては側板１２の温度センサ挿入用穴２３に対し送風方向（図２中の矢印Ｆ方向）と直交する対面位置に、温度センサ挿入用穴２４が設けられている。
【００１９】
そして、電気品ボックス２２の下部には、図６（ｃ）に示すように、温度センサ挿入用穴２５、温度センサ挿入用穴２６が形成されている。温度センサ挿入用穴２５は、電気品ボックス２２を側板１２に取り付けたときに側板１２の温度センサ挿入用穴２３と連通する位置に形成されている。温度センサ挿入用穴２６は、電気品ボックス２２を側板１２から側板１３に付け換えたときに側板１３の温度センサ挿入用穴２４と連通する位置に形成されている。これにより、電気品ボックス２２を側板１２または側板１３のいずれに取り付けた場合でも温度センサ４１を箇所イの位置に挿入・配置することができる。温度センサ４１は、図６（ｄ）に示すように、電気品ボックス２２の温度センサ挿入用穴２５または温度センサ挿入用穴２６に嵌着されたブッシュ４９により保持固定される。
【００２０】
この空気調和装置１は、図７に示すように、空調対象室内Ｔの天井内Ｓに設置される。空気調和装置１の主取入口７は天井Ｒに形成された空気取入口５１と導風路５２を介して連結され、空気調和装置１の吹出口８は天井Ｒに形成された空気送出口５４と導風路５３を介して連結される。この空気調和装置１は空調対象室内Ｔに設置されたリモコン５０により制御目標が設定される。
【００２１】
上記した構成の天井埋込型空気調和装置１によれば、側板１３の副取入口１９に接続手段６１によって空気取入ダクト５５が接続され、側板１２に取付手段６３，６５を介して電気品ボックス５５が着脱可能に取り付けられる。そして、空気取入ダクト５５と電気品ボックス２２を互いに反対側の側板１２，１３に付け換えるときは、ノックアウト部２０が打ち抜かれて副取入口２１が側板１２に形成される。この副取入口２１に空気取入ダクト５５が接続手段７０によって接続される。また、側板１２から取り外された電気品ボックス２２が側板１３に取付手段６７，６９を介して取り付けられる。従って、室内の間仕切り５７、天井内Ｓにおける鉄筋５８や天井スラブなどの配置状況による規制から、空気取入ダクト５５と電気品ボックス２２をそれぞれの標準位置に取り付けることが不適切な場合でも、空気取入ダクト５５と電気品ボックス２２を互いに反対側の側板に付け換えることができる。これにより、この空気調和装置１の天井内設置作業に融通性がもたらされ、設置作業効率が格段に向上するのである。
【００２２】
ここで、図８に示すように、間仕切り５７，５７で囲まれた空調対象室内Ｔの天井内Ｓの鉄筋５８，５８間に空気調和装置１が設置されている例を挙げる。図８（ａ）に示す空気調和装置１は、側板１２に電気品ボックス２２が取り付けられ側板１３に空気取入ダクト５５が取り付けられた標準仕様であり、汎用構造の天井内Ｓに設置されている。この場合、電気品ボックス２２側の天井に点検口５６が設けられており点検その他に支障を生じない。それに対し、同図（ｂ）に示した建物構造では、標準仕様における電気品ボックス２２の真下に間仕切り５７が存在するため、点検口５６を設けることができない。このような場合、電気品ボックス２２を側板１２から側板１３へ付け換え、空気取入ダクト５５を側板１３から側板１２へ付け換える。これにより、同図（ｃ）に示すように、付け換え後の電気品ボックス２２下方の天井に点検口５６を設けることができる。
【００２３】
また、図９（ａ）に示すように、側板１２に取り付けられていたドレンポンプ６０も図８（ｃ）の点検口５６から点検する必要がある場合や、側板１３側から排水せざるを得ない場合があるため、図９（ｂ）に示すように、電気品ボックス２２とともに側板１２から側板１３へ付け換えられる。これにより、電気品ボックス２２側の点検口５６からドレンポンプ６０の点検も行なうことができ、側板１３側から排水させることができる。
【００２４】
また、電気品ボックス２２が取り付けられている側板１２に設けられた温度センサ挿入用穴２３から、温度センサ４１が空気吸込側空間５内で空気が最もよく流通する箇所イ（所定部位）に挿入されて空調対象室内の空気温度にほぼ等しい吸込み空気温度が検知される。そこで、電気品ボックス２２を側板１２から側板１３に付け換えたときは、温度センサ挿入用穴２３から取り外された温度センサ４１が、電気品ボックス２２の温度センサ挿入用穴２５および側板１３の温度センサ挿入用穴２４から空気吸込側空間５内の箇所イに挿入されるので、適切な吸込み空気の温度を、側板１２側に取り付けていたときと同様に正しく検知することができる。従って、電気品ボックス２２の付け換えに付随する温度検知の支障を回避することができる。
【００２５】
他方、温度センサ４１を側板１２に取り付けたままで、電気品ボックス２２を側板１２から側板１３へ付け換える場合は、温度センサ４１からの配線を側板１２から側板１３へ渡して電気品ボックス２２へ接続する必要が生じる。その場合、配線を渡す経路として、図６（ａ）中の箇所ヘ〜チが考えられる。箇所トは風量の影響が少ないが、ヒータ１０からの熱の影響が大きく配線が破損するおそれがある。箇所チは送風の抵抗となるために風量を低下させたりあるいは消費電力量が増大したりする。また、箇所トほどでないがヒータ１０からの熱の影響も受ける。それに対し、溝条２７内である箇所ヘは、本体ケース２の外部であるから、ヒータ１０からの熱の影響を受けることがなく、送風を妨げたりしない。
【００２６】
一方で、この空気調和装置１は建築物の天井スラブと天井Ｒの間に設置されるが、天井スラブと接触する位置もしくはそれに近い位置に据え付けられることが多く、副取入口１９に空気取入ダクト５５を接続してしまうと、本体ケース２内に配線２８を通す工事が困難になることがある。このような場合も配線２８を溝条２７内に通して側板１２側から側板１３側へ、または側板１３側から側板１２側へと簡単に引き渡すことができる。
また、電気品ボックス２２を側板１３に付け換えた際に、熱交換器３の近傍に配備されている冷媒流量制御装置からの配線２８を側板１２側から側板１３側へ引き渡さなければならないことがある。その場合も冷媒流量制御装置からの配線２８を溝条２７内に通して電気品ボックス２２に接続することができる。
このように、本体ケース２の上面で配線２８を渡すにも拘わらず、熱交換器３の傾斜配置により必然的に生じる内部空間を埋めて形成された溝条２７内に配線２８が収容されるので、市場ニーズである本体ケース２の高さ方向の薄型化を阻害することがない。
【００２７】
そして、側板１２，１３は、図１０（ａ）に示すように、上辺が曲げ起こされた辺板部３２と、側辺が曲げ起こされた辺板部３３を備えている。辺板部３２には本体ケース２を天井スラブなどから吊り下げるための吊ボルト３１を係止する吊穴２９が設けられている。吊ボルト３１は切欠き部３０を通して吊穴２９に収容される。辺板部３３の上端を折り曲げた折り曲げ部３４が辺板部３２上に重ねられており、ビス挿通穴３５を通したビス３６で折り曲げ部３４と辺板部３２とが固定されている。かかる側板１２，１３の構成により、本体ケース２が補強され一定以上の強度が確保される。これらの側板１２，１３は、曲げ加工、組立工場への搬送、および組立（ネジ締め）を順次経て製品部品とされている。これに対し、図１０（ｂ）に示した従来の側板１２，１３は、辺板部３２と辺板部３３Ａの角隅部が溶接により溶接部３７として固着されており、曲げ加工、溶接工場への搬送、隅肉溶接、組立工場への搬送、および組立（ネジ締め）を順次経て製品部品とされていた。すなわち、手間ひまのかかる、溶接工場への搬送と隅肉溶接の２工程が余分に必要であったため、製造コストと製造時間がかかっていた。そこで、本実施形態のように角隅部分の板金を重ね合わせてビス３６で止めることにより強度を確保することで、溶接工程をなくすことができる。因みに、空気調和装置の組立工程において、ビスによる組立は本体ケースの組立工程のなかに含めることができるが、溶接工程は他に専用の溶接設備および加工工程を設けなければならない。
【図面の簡単な説明】
【００２８】
【図１】本発明の一実施形態に係る天井埋込型空気調和装置の概略構成を示す外観図である。
【図２】天井埋込型空気調和装置の本体ケースの組立分解図である。
【図３】本体ケースの両側板を両側から見た図である。
【図４】本体ケースに取り付けられる電気品ボックスの外観図である。
【図５】天井埋込型空気調和装置の送風機を示す外観図である。
【図６】天井埋込型空気調和装置における温度センサの取付位置を説明する図であって、（ａ）は天井埋込型空気調和装置の内部構造の側面図、（ｂ）は温度センサによる検知箇所と検知温度との関係を示すグラフ、（ｃ）は電気品ボックスにおける温度センサ挿入用穴の配置を示す側面図、（ｄ）は温度センサを電気品ボックスおよび側板に取り付けた態様を示す説明図である。
【図７】天井埋込型空気調和装置の取付状態を示す説明図である。
【図８】天井埋込型空気調和装置を天井内へ設置する態様を示す図であって、（ａ）は標準構成の天井埋込型空気調和装置を設置する態様を示す説明図、（ｂ）は標準構成では不具合となる建築構造への設置態様を示す説明図、（ｃ）は天井埋込型空気調和装置を（ｂ）に示した建築構造に適した構成に変えて設置する態様を示す説明図である。
【図９】本体ケースにおける電気品ボックス、空気取入ダクト、およびドレンポンプの配置を示す図であって、（ａ）は標準配置の平面図、（ｂ）は電気品ボックス、空気取入ダクト、およびドレンポンプを標準配置から変更した平面図である。
【図１０】吊りボルト挿通用の吊穴を有する側板の角隅部の接合態様を示す図であって、（ａ）はこの実施形態による接合態様を示す部分斜視図、（ｂ）は従来の接合態様を示す部分斜視図である。
【符号の説明】
【００２９】
１  天井埋込型空気調和装置、２  本体ケース、３  熱交換器、４  送風機、５  空気吸込側空間、６  空気吹出側空間、７  主取入口、９  区画板、１１  送風路、１２  側板（一側板）、１３  側板（他側板）、１４  天板、１５  底板、１９  副取入口（一の副取入口）、２０  ノックアウト部、２１  副取入口（別の副取入口）、２２  電気品ボックス、２３  温度センサ挿入用穴（一の温度センサ挿入用穴）、２４  温度センサ挿入用穴（他の温度センサ挿入用穴）、２５  温度センサ挿入用穴、２６  温度センサ挿入用穴、２７  溝条、２８  配線、３６  ビス、３９  ビス挿通穴、４０  ビス挿通穴、４１  温度センサ、５５  空気取入ダクト、６１  接続手段（一の接続手段）、６３  取付手段（一の取付手段）、６５  取付手段（一の取付手段）、６７  取付手段（別の取付手段）、６９  取付手段（別の取付手段）、７０  接続手段（別の接続手段）、Ｆ  矢印、Ｒ  天井、Ｓ  天井内、Ｔ  空調対象室内。
【図１】
2005233529.tif 000003
【図２】
2005233529.tif 000004
【図３】
2005233529.tif 000005
【図４】
2005233529.tif 000006
【図５】
2005233529.tif 000007
【図６】
2005233529.tif 000008
【図７】
2005233529.tif 000009
【図８】
2005233529.tif 000010
【図９】
2005233529.tif 000011
【図１０】
2005233529.tif 000012